(57)【要約】【課題】  釣り用の小物物品の使い勝手を損なうことなく、良好な携帯性を実現できる釣り用の小物物品の吊支装置を提供する。【解決手段】  衣類の一部に着脱自在に係着する係着具１２と、係着具１２に支持されて小物物品（Ｔ）を吊支する吊支具１４と、係着具１２に設けられる第１磁力吸着要素と吊支具１４に設けられる第２磁力吸着要素とを有し、それらの磁力吸着要素を介して係着具１２に対して吊支具１４を連結・分離可能に連結させる磁力連結手段（１６）と、を有し、第１、第２磁力吸着要素はそれぞれ異なる磁極を有する永久磁石（２２，３０）からなり、磁極付きの第１、第２磁力吸着要素（２２，３０）どうしの相互吸引力による吸着力を介して係着具１２に吊支具１４を連結させることを特徴とする釣り用の小物物品の吊支装置１０から構成される。【選択図】図１
0003116330.tif 000002
【実用新案登録請求の範囲】
【請求項１】
衣類の一部に着脱自在に係着する係着具と、
係着具に支持されて小物物品を吊支する吊支具と、
係着具に設けられる第１磁力吸着要素と吊支具に設けられる第２磁力吸着要素とを有し、それらの磁力吸着要素を介して係着具に対して吊支具を連結・分離可能に連結させる磁力連結手段と、を有し、
第１、第２磁力吸着要素はそれぞれ異なる磁極を有する永久磁石からなり、
磁極付きの第１、第２磁力吸着要素どうしの相互吸引力による吸着力を介して係着具に吊支具を連結させることを特徴とする釣り用の小物物品の吊支装置。
【請求項２】
第１磁力吸着要素は、係着具に連係されながら一定の範囲内で自由に可動な可動片からなり、
該可動片に第２磁力吸着要素を任意方向から近づけた際には、可動片も該第２磁力吸着要素の方に誘導されながら吸着することを特徴とする請求項１記載の釣り用の小物物品の吊支装置。
【請求項３】
磁力連結手段は、第１磁力吸着要素が第２磁力吸着要素を吸着する際にそれらの一定の連結態様を保持させる定連結保持手段を含む請求項１または２記載の釣り用の小物物品の吊支装置。
【請求項４】
定連結保持手段は、いずれか一方の磁力吸着要素側に形成された位置決め凹部に対して、他の磁力吸着要素を雌雄嵌合状に吸着連結させる雌雄嵌合機構からなることを特徴とする請求項３記載の釣り用の小物物品の吊支装置。
【請求項５】
吊支具は、吊支片本体と第２磁力吸着要素を一体的に保持した立体構造体からなり、該立体構造体は、第１磁力吸着要素から第２磁力吸着要素を引き離して離脱させた際に水上に浮かぶ浮力体から構成されることを特徴とする請求項１ないし４のいずれかに記載の釣り用の小物物品の吊支装置。
【請求項６】
第１、第２磁力吸着要素どうしが連結された状態で磁力吸着要素の少なくとも一部を外部に露出させて、磁性体小物品を磁力吸着するように設けられた請求項１ないし５のいずれかに記載の釣り用の小物物品の吊支装置。
【考案の詳細な説明】
【技術分野】
【０００１】
本考案は、釣りの際にラインカッタ、はさみ、針外し、ガン玉つぶし等の釣り用小物を携帯できる釣り用の小物物品の吊支装置に関する。
【背景技術】
【０００２】
従来、釣りの際にラインカッタや針外し等の使用頻度の高い魚釣り用小道具を常時携帯しておくために、ジャケット等に安全ピンで固定されるピンオンリールが用いられている（例えば、特許文献１参照）。従来のピンオンリールは、ケーシングと、ケーシングから引き出し自在に設けられた引出糸と、引出糸を巻きつけるスプールと、引出糸の先端に設けられた小道具接続用のスナップと、を有するリール本体と、リール本体をジャケット等に取り付ける取付部と、を備えている。スプールは、渦巻きバネで引出糸を巻き取る方向に常に付勢されており、釣り用小道具を使用する際には、引出糸を引っ張ってケーシングから引き出し、使用した後には、引出糸を手放すと渦巻きバネの付勢力によってスプールが引出糸を自動的に巻き戻すものであった。よって、小道具をジャケットのポケットに収納しておくよりも、小道具を使用する際及び収納する際の動作を簡便に行なえるものであった。
【特許文献１】特開２００５−２１０９３３号公報
【考案の開示】
【考案が解決しようとする課題】
【０００３】
しかしながら、従来のピンオンリールでは、取り付けたラインカッタ等の小道具の使用と収納の切替え動作を簡単に行なえる反面、引出糸が常時スプールに巻き戻される方向に引っ張られているので、釣り人は作業中に常に引っ張り感、違和感を覚えるとともに、小道具を扱いにくく不便なものであった。特に、頻繁に行なわれる釣り針の付け替え作業等の細かな作業では、道具の使い勝手が悪いと、失敗したり、作業をスムーズに行えず、釣果にも大きく影響してしまう。また、釣り用小道具とジャケットとの間が引出糸で繋がれているので、引出糸の長さ等で限定されることもあり、該釣り用小道具を使う向きや位置が限定されることも多い。さらに、風の影響等でリールから引き出される引出糸とラインがもつれたり、あるいは、引出糸が引き戻される際にラインを巻き込んだりしてしまう等の問題もあった。
【０００４】
本考案は、上記従来の課題に鑑みてなされたものであり、その一つの目的は、釣り用の小物物品の使い勝手を損なうことなく、良好な携帯性を実現できる釣り用の小物物品の吊支装置を提供することにある。
【課題を解決するための手段】
【０００５】
上記課題を解決するために本考案は、衣類の一部（Ｋ）に着脱自在に係着する係着具１２と、係着具１２に支持されて小物物品（Ｔ）を吊支する吊支具１４と、係着具１２に設けられる第１磁力吸着要素と吊支具１４に設けられる第２磁力吸着要素とを有し、それらの磁力吸着要素を介して係着具１２に対して吊支具１４を連結・分離可能に連結させる磁力連結手段（１６）と、を有し、第１、第２磁力吸着要素はそれぞれ異なる磁極を有する永久磁石（２２，３０）からなり、磁極付きの第１、第２磁力吸着要素（２２，３０）どうしの相互吸引力による吸着力を介して係着具１２に吊支具１４を連結させることを特徴とする釣り用の小物物品の吊支装置１０から構成される。第１、第２磁力吸着要素（２２，３０）は係着具１２、吊支具１４に一体的に取り付けても良いし、付設的に取り付けても良い。なお、第１、第２磁力吸着要素としては、例えば、フェライト磁石、鉄・クロム・コバルト磁石、アルニコ磁石、サマリウムコバルト磁石やネオジム磁石等の希土類磁石等その他任意の永久磁石でよい。例えば、ネオジム磁石の希土類磁石は、フェライト磁石等の他の磁石に比べて磁力等が強力でしかも保磁力が大きいので、磁石を小型化でき、吊支装置全体のコンパクト化や軽量化を実現できる。さらに、磁力吸引力も強いので、係着具側に吊支具をある程度離れたところからも強く引き寄せることができ、確実に吸着連結することができる。
【０００６】
また、第１磁力吸着要素（２２）は、係着具１２に連係されながら一定の範囲内で自由に可動な可動片からなり、該可動片に第２磁力吸着要素（３０）を任意方向から近づけた際には、可動片も該第２磁力吸着要素（３０）の方に誘導されながら吸着する構成としてもよい。係着具と第１磁力吸着要素との連係構造は、例えば、紐やチェーン、コード等の索条類による連係、リング部材による連係、その他任意の第１磁力吸着要素が可動しうる連係構成でよい。
【０００７】
また、磁力連結手段（１６）は、第１磁力吸着要素（２２）が第２磁力吸着要素（３０）を吸着する際にそれらの一定の連結態様を保持させる定連結保持手段（３４）を含むこととしてもよい。
【０００８】
また、定連結保持手段は、いずれか一方の磁力吸着要素（３０）側に形成された位置決め凹部３２に対して、他の磁力吸着要素（２２）を雌雄嵌合状に吸着連結させる雌雄嵌合機構３４からなることとしてもよい。位置決め凹部３２は、係着具１２に設けられる第１磁力吸着要素に形成されてもよいし、逆に、吊支具１４に設けられる第２磁力吸着要素に形成されることとしてもよい。
【０００９】
また、吊支具１４は、吊支片本体（２４）と第２磁力吸着要素（３０）を一体的に保持した立体構造体２８からなり、該立体構造体２８は、第１磁力吸着要素（２２）から第２磁力吸着要素（３０）を引き離して離脱させた際に水上に浮かぶ浮力体から構成されることとしてもよい。吊支具１４の吊支片本体としては、例えば、金属製、プラスチック製等からなるリング状の丸環、リングの一部を連結・解除できる連結環、シャックル、ナス環等、その他索状類等を含んでもよく、任意の接続具でもよい。さらに、立体構造体２８を模様や色彩、蛍光塗料等により装飾すれば小物物品の吊支装置を装身具としても兼用することができ、ファッション性を高めることができる。同時に、装飾が目立つことで、水上を浮かんでいる場合や、作業を中断して小物物品を横にちょっと置いておく場合等にその場所を容易に発見することができる。
【００１０】
また、第１、第２磁力吸着要素（２２，３０）どうしが連結された状態で磁力吸着要素（２２）の少なくとも一部（２２２）を外部に露出させて、磁性体小物品（Ｌ）を磁力吸着するように設けられたこととしてもよい。磁性体小物品は、例えば、釣り針Ｌ等や、鉄製のピンセット等やその他任意の鉄、ニッケル等からなる小物品でもよい。
【考案の効果】
【００１１】
本考案の釣り用の小物物品の吊支装置によれば、衣類の一部に着脱自在に係着する係着具と、係着具に支持されて小物物品を吊支する吊支具と、係着具に設けられる第１磁力吸着要素と吊支具に設けられる第２磁力吸着要素とを有し、それらの磁力吸着要素を介して係着具に対して吊支具を連結・分離可能に連結させる磁力連結手段と、を有し、第１、第２磁力吸着要素はそれぞれ異なる磁極を有する永久磁石からなり、磁極付きの第１、第２磁力吸着要素どうしの相互吸引力による吸着力を介して係着具に吊支具を連結させる構成であるから、（１）釣りの際に小物物品を常時携帯しておくことができる、（２）必要に応じて小物物品を片手で簡便かつ素早く取出して使用することができる、（３）小物物品を使用している際には小物物品の操作性を損なうことなく自在に扱うことができる、（４）使用した後には元の吊支状態へ片手で極めて簡単かつ素早く戻すことができる、等の効果を奏し、その結果、利便性を大幅に向上させた実用的な吊支装置を実現できる。また、利便性の向上に伴って高い釣果を期待できる。さらに、構成が簡単であり、低コストで製造できる。
【００１２】
また、第１磁力吸着要素は、係着具に連係されながら一定の範囲内で自由に可動な可動片からなり、該可動片に第２磁力吸着要素を任意方向から近づけた際には、可動片も該第２磁力吸着要素の方に誘導されながら吸着する構成とすることにより、吊支具を分離した状態から係着具に連結させる際に、片手でのラフな位置あわせでも確実に磁石どうしで吸着させることができるので、使い勝手を向上させうる。
【００１３】
また、磁力連結手段は、第１磁力吸着要素が第２磁力吸着要素を吸着する際にそれらの一定の連結態様を保持させる定連結保持手段を含む構成とすることにより、第１、第２磁力吸着要素の磁力吸着作用と相俟って、厳密に位置あわせ操作しなくても連結位置がずれることなく常に磁力の強い磁極部位で吸着されて、その結果、確実な連結状態を保持することができる。さらに、吊支状態では、吊支具が係着具から不意に分離脱落するのを防止できる。
【００１４】
また、定連結保持手段は、いずれか一方の磁力吸着要素側に形成された位置決め凹部に対して、他の磁力吸着要素を雌雄嵌合状に吸着連結させる雌雄嵌合機構からなる構成とすることにより、第１、第２磁力吸着要素による磁力吸着力と雌雄嵌合状の係合状態による位置決めにより相乗的に所定の連結態様を良好に保持できる。さらに、定連結手段を簡単な構造で具体的に実現できる。
【００１５】
また、吊支具は、吊支片本体と第２磁力吸着要素を一体的に保持した立体構造体からなり、該立体構造体は、第１磁力吸着要素から第２磁力吸着要素を引き離して離脱させた際に水上に浮かぶ浮力体から構成される構成とすることにより、誤って小物物品を川や海等の水中に小物物品を落としても水上に浮かぶ立体構造体により簡単に発見して回収することができる結果、小物物品の紛失を防止できる。
【００１６】
また、第１、第２磁力吸着要素どうしが連結された状態で磁力吸着要素の少なくとも一部を外部に露出させて、磁性体小物品を磁力吸着するように設けられた構成とすることにより、例えば、釣り針の付け替え等の作業の際に一時的に釣り針を磁力吸着要素に吸着させておくことができ、釣り針等の小物品の紛失を防止しつつスムーズに作業することができる。
【考案を実施するための最良の形態】
【００１７】
以下添付図面を参照しつつ、本考案の釣り用の小物物品の吊支装置について説明する。本考案の釣り用の小物物品の吊支装置は、釣りの際に、頻繁に使用するラインカッタやはさみ等の釣り用の小物物品をジャケット等の衣類に吊支して携帯することができるとともに、該小物物品を吊支させた状態から簡便に分離離脱させて手軽に使用することができ、さらに、使用した後には簡単な操作で該小物物品を再び吊支させることができる小物物品の吊支装置である。
【００１８】
図１ないし図６は本考案の釣り用の小物物品の吊支装置の実施形態について示している。本実施形態において、釣り用の小物物品の吊支装置１０は、図１、図２に示すように、係着具１２と、吊支具１４と、係着具１２に対して吊支具１４を連結・分離可能に連結する磁力連結機構１６と、を有している。
【００１９】
係着具１２は、釣り人が身に着ける衣類の一部（Ｋ）に小物物品の吊支装置１０全体を着脱自在に係着させるための係着手段である。本実施形態では、係着具１２は、図１、図３、図４に示すように、例えば、ジャケットやシャツ等の衣服の襟Ｋや胸ポケットの縁等を挟着しながら着脱自在に係着するクリップ装置２０からなる。クリップ装置２０は、全体としてプラスチック等の合成樹脂から形成されており、縦長の基部体１７と、基部体１７の上部側に面対向状に配置されて該基部体１７に対して近接離間する舌片板状の挟着片１８と、基部体１７の中間位置で枢軸１９ａを介して軸支されたレバー部材１９と、を含む。挟着片１８は、下方側に延長された腕部１８ｂを介して基部体１７に枢軸１８ａで軸支されており、レバー部材の回動操作に対応して開閉動するようになっている。なお、基部体１７と挟着片１８の対向するそれぞれの面には複数の突起部２１が設けられている。図３において、クリップ装置２０のレバー部材１９を基部体側（ｘ１方向側）に回動させると、挟着片１８が基部体１７に対して近接し、それらの間に衣服の襟等を挟み込みながら係着する。逆に、レバー部材１９の端部を基部体１７側から離すように（ｘ２方向側に）回動させると、係着片１８が基部体１７に対して離隔して、襟等から離脱できるようになっている。なお、係着具１２は、例えば、バネ式クリップや弾性素材で衣類の一部を挟着するクリップ、又は安全ピン等の留め針等その他任意の係着構成でもよい。図１において、クリップ装置２０の挟着片１８に対して対向他端側となる下端側には、後述する磁力連結機構１６の構成要素となる第１永久磁石２２が接続されている。
【００２０】
図１、図２に示すように、吊支具１４は、本実施形態では、クリップ装置２０に磁力連結機構１６を介して連結されて支持され、例えば、釣り糸切断用のラインカッタＴ等の釣り用小物物品を吊支する。本実施形態では、吊支具１４は、ラインカッタＴと連結する吊支片本体となる丸環２４と、丸環２４を索条２６を介して吊支した立体構造体２８と、を有している。本実施形態では、丸環２４は、例えば、針金等で円形リング状に形成された吊支金具であり、ラインカッタＴに取り付けられた接続用環状金具Ｒと連係接続される。なお、丸環２４をラインカッタＴ等の小物物品に設けられた孔Ｑに直接連結してもよい。索条２６は、可撓性の紐からなり、丸環２４と連係される中間部を折り返しつつ両端を立体構造体２８の下端側に接続固定している。本実施形態では、索条２６は、丸環２４に接続するラインカッタＴと立体構造体２８との間をある程度の自由度で離隔させながら接続しており、該ラインカッタＴの操作時に立体構造体２８が操作の邪魔にならないようになっている。なお、この輪状の索条２６を吊支部本体として、該索条２６にラインカッタＴの接続用環状金具Ｒと連係接続してもよい。
【００２１】
図１、図２に示すように、本実施形態では、立体構造体２８は、磁力連結機構１６の構成要素となる第２永久磁石３０を保持している。すなわち、吊支具１４は、丸環２４と第２永久磁石３０を一体的に保持した立体構造体２８から構成されている。さらに言い換えると、立体構造体２８は、第２永久磁石３０を介してクリップ装置２０に設けられた第１永久磁石２２と磁力吸着するようになっており、吊支具１４はこの立体構造体２８部分でクリップ装置２０と連結・分離可能に連結される。本実施形態では、立体構造体２８は、例えば、発泡ポリスチレン等の浮力素材からなり、ある程度の大きさで、やや縦長い略どんぐり形状に設けられている。すなわち、立体構造体２８はウキのような浮力体から構成されており、図５に示すように、該立体構造体２８は第１永久磁石２２から第２永久磁石２８を引き離して離脱させた際に（クリップ装置２０から吊支具１４を分離させた際に）水上に浮かぶようになっている。これにより、ラインカッタＴを使用している際や作業を中断してラインカッタを横に置いている際に、該ラインカッタＴを誤って海や川等の水中に落とした場合でも、水上に浮かんだ立体構造体２８を容易に発見して回収することができる。なお、立体構造体２８は、例えば、コルク、桐等の木製等の浮力素材から形成したり、あるいは内部に空気を密閉した中空浮力体で構成したり、その他軽くて水に浮く浮力体構成であれば良い。また、立体構造体の大きさは、浮力素材等に応じて十分な浮力が得られる程度の大きさであればよい。また、立体構造体２８の形状は、例えば、球形、立体長丸形、繭形、瓢箪形、紡錘形、扁平な板形、円柱形状、円錐形、円錐台形、立方体、直方体、六角柱、その他任意の幾何学的な立体形状、人形、動植物形状等、その他任意の立体形状でもよい。
【００２２】
本実施形態では、図１、図４に示すように、立体構造体２８の上端側から構造体内部側に向けて縦方向に、横断面円形状のメクラ穴が形成されており、その穴の中に円柱形状の第２永久磁石３０が完全に埋没状に配置されて固定されている。この実施形態では、穴の深さは、第２永久磁石３０の縦の長さよりも深く設定されており、立体構造体２８の上端側には凹部３２が形成されている。この凹部３２に第１永久磁石２２が嵌合した状態で、磁力連結機構１６を構成する第１永久磁石２２と第２永久磁石３０とが磁力吸着するようになっている。
【００２３】
本実施形態において、磁力連結機構１６は、クリップ装置２０に設けられる第１磁力吸着要素と吊支具１４に設けられる第２磁力吸着要素とを有しており、それらの磁力吸着要素によりクリップ装置２０に対して吊支具１４を連結・分離可能に連結する磁力連結手段である。図１、図４に示すように、本実施形態では、第１磁力吸着要素はクリップ装置２０に接続された第１永久磁石２２からなり、第２磁力吸着要素は吊支具の立体構造体２８に内蔵保持された第２永久磁石３０からなる。そして、第１、第２永久磁石２２，３０は、異なる磁極をそれぞれの吸着面に設定しており、それらの異なる磁極どうしの相互吸引力による高吸着力を介してクリップ装置２０に吊支具１４を連結する。これにより、常時はラインカッタＴ等を吊支して携帯できるとともに、必要に応じてクリップ装置２０側から完全に分離させた状態でラインカッタＴ等の小物物品を使用することができる。この際、従来のピンオンリールのように小物物品が引っ張られたりすることがなく、操作性が損なわれることなく小物物品をスムーズに使用することができる。さらに、磁力連結機構１６は、磁力吸着力を介して連結させた構成なので、片手だけで簡単に連結及び分離操作することができる。
【００２４】
具体的には、図１、図４において、第１永久磁石２２は、例えば、ネオジム磁石等の強力な永久磁石からなり、略円柱形状、より詳細には胴部の下半部２２１側が上半部２２２側に対して若干縮径された段付き略円柱形状の小片部材で形成されている。第１永久磁石２２は、円形状の下面側を第２永久磁石３０との吸着面としており、該下面側に最も磁力が強くなる磁極、例えばＮ極が設定されている。また、第１永久磁石２２は上記磁極に限らず外表面の略全体で鉄、ニッケル等の磁性体を吸着できるようになっている。第１永久磁石２２の上端側には略水平方向に孔が穿孔された環状部２２ａが一体的に設けられている。この環状部２２ａにはクリップ装置２０の下端部側に設けられた横長半円状の通係孔３６に通係された円環状のリング部材３８を遊貫状に挿通させている。したがって、第１永久磁石２２はリング部材３８の円形に沿って自由に動くことができるとともに、該リング部材３８もクリップ装置２０の通係孔３６内を自由に移動することができるようになっている。すなわち、第１永久磁石２２は、クリップ装置２０に連係されながら一定の範囲内を自由に可動な可動小片部材となっている。したがって、図６に示すように、第１永久磁石２２に第２永久磁石３０を任意方向から近付けた際には、第１、第２永久磁石の相互吸引力によって、第１永久磁石２２の磁極部分が第２永久磁石３０の方に誘導されながら第２永久磁石３０を吸引して吸着連結するようになっている。これにより、いちいち厳密に連結位置を目視しながら煩雑な連結位置合わせをしなくても第１、第２永久磁石の相互吸引力が良好に作用して第１、第２永久磁石を確実に吸着連結させることができる
【００２５】
一方、第２永久磁石３０は、本実施形態では、例えば、ネオジム磁石等の強力な永久磁石からなり、上述のように円柱形状で形成されて立体構造体２８内部に埋没されて固定されている。第２永久磁石３０側では、立体構造体２８の上端側に凹部３２が形成されているとともに、該凹部の底面に第２永久磁石３０の磁極、例えばＳ極が設定されている。本実施形態では、この凹部３２内に第１永久磁石２２の下半部２２１を挿入させて雌雄嵌合した状態で、第１、第２永久磁石が吸着連結する。すなわち、凹部３２が第１永久磁石２２の吸着連結位置を常時一定に保持する位置決め凹部となっており、この第２永久磁石３０を含む凹部３２に対して第１永久磁石２２を雌雄嵌合状に吸着連結する雌雄嵌合機構３４を構成している。これにより、第１永久磁石が第２永久磁石を吸着する際には、それらの異なる磁極の相互吸引作用と雌雄嵌合による位置決め作用とが相乗的に作用して、一定の連結態様を保持させる定連結保持手段を実現している。さらに、上述のような第１永久磁石２２の可動片構成と相俟って、吊支具１４側の片手でしかもラフな操作だけでも、クリップ装置２０に対して該吊支具が半自動的かつ確実に連結保持される。その結果、連結操作の操作性を大幅に向上させうる。なお、雌雄嵌合の凹部の深さ方向に垂直断面形状及び第１永久磁石の横断面形状は、楕円形、三角形、その他の多角形等他任意の形状でよい。しかし、本実施形態のように断面円形に設けると嵌合の凹凸部（雌雄部分）の互いの形状のずれに左右されずどの方向からも良好に嵌合して連結することができる。
【００２６】
さらに本実施形態では、図４に示すように、第１、第２永久磁石２２，３０どうしが連結された状態では、第１永久磁石２２の上半部２２２は立体構造体２８の上方側に向けて突出されて外部に露出されるように設けられている。第１永久磁石２２の露出部分では、磁力が作用し磁性体を吸着するようになっており、例えば、鉄製釣り針Ｌ等の小さな物を直接的に磁力吸着して保持することができる。従来では釣り針Ｌをなくさないように釣り人が口にくわえた状態で作業する場合もあったが、この構成により、安全かつ簡便に釣り針Ｌを管理することができるので、釣り針の紛失を防止しつつ、スムーズな釣り針交換作業等を行える。
【００２７】
次に、本実施形態に係る釣り用の小物物品の吊支装置の作用について説明する。図１、図４に示すように、吊支具１４の丸環２４に例えば、ラインカッタＴ等の釣り用小物物品を接続し、係着具１２（クリップ装置２０）と吊支具１４と磁力連結機構１６を介して連結させた状態で、係着具１２を介して衣服の襟Ｋ等に装着する。これにより、ラインカッタＴを吊支状態で常時携帯しておくことができる。釣りの最中に、例えば、釣り針の交換作業等でラインカッタＴ等が必要な場合には、第１永久磁石２２から第２永久磁石３０を引き離して、吊支具１４を係着具１２から分離させる。この際、磁力吸着により連結されているだけなので片手だけで簡単かつ素早く分離させることができる。また、ラインカッタを係着具側から完全に分離離脱させるので、使用中にはラインカッタが引っ張られたり拘束感を覚える等の不具合が一切なく、その結果、ラインカッタの操作性が損なわれることがなく、細かな作業も円滑に行うことができる。また、図５に示すように、例えば、作業中に誤ってラインカッタＴを海や川等の水中に落とした場合でも、吊支具の立体構造体２８が浮力体からなるので、水上に浮かぶ立体構造体を目印にして簡単に発見して回収することができる。一方、針交換作業等を終えてラインカッタを再び吊支させる場合には、図６に示すように、係着具１２の第１永久磁石へ立体構造体２８を近付けると第１、第２永久磁石２２，３０の相互吸引力により、該第２永久磁石３０を強く引き付けて吸着される。この際、第１永久磁石は一定の範囲内で自由に可動するので第２永久磁石を近付ける方向に関わらず、第１永久磁石２２が第２永久磁石の方に誘導されながら吸着されると同時に、第１永久磁石が立体構造体の凹部３２と雌雄嵌合しながら吸着連結される。これにより、厳密に第１、第２永久磁石の互いの位置を確認する必要がなく、片手でだけの簡便な操作で半自動的かつ確実に吸着連結されて元の吊支状態に戻すことができ、素早く釣りを再開することができる。したがって、全体としてラインカッタ等の釣り用の小物物品を使用する際の使い勝手が向上するとともに、それに伴い高い釣果を期待できる。
【００２８】
以上説明した本考案の釣り用の小物物品の吊支装置は、上記した実施形態のみの構成に限定されるものではなく、実用新案登録請求の範囲に記載した本考案の本質を逸脱しない範囲において、任意の改変を行ってもよい。例えば、係着具の衣類への係着する部位と第１永久磁石を接続する部位との位置関係は任意でよい。好適には、吊支装置を衣類に係着した際に全体的に鉛直状に吊支されるようにすると良い。
【産業上の利用可能性】
【００２９】
本考案の釣り用の小物物品の吊支装置は、例えば、釣り人が釣りの際に使用するラインカッタ、はさみ、針外し、ガン玉つぶし、ガン玉取り外し、メジャー、温度計等の種々の釣り用の小物物品を携帯する際に好適に利用される。
【図面の簡単な説明】
【００３０】
【図１】実施形態に係る釣り用の小物物品の吊支装置の一部切欠正面図である。
【図２】図１の釣り用の小物物品の吊支装置の係着具と吊支具を分離した状態の一部切欠説明図である。
【図３】図１の釣り用の小物物品の吊支装置の係着具の側面図及び作用図である。
【図４】図１の釣り用の小物物品の吊支装置の係着状態及び釣り針を直接吸着させた状態の説明図である。
【図５】吊支具の立体構造体が水上に浮かんだ状態を示す作用説明図である。
【図６】図１の釣り用の小物物品の吊支装置の作用を示す説明図である。
【符号の説明】
【００３１】
１０    釣り用の小物物品の吊支装置
１２    係着具
１４    吊支具
１６    磁力連結機構
２２    第１永久磁石
２４    丸環
２８    立体構造体
３０    第２永久磁石
３２    凹部
３４    雌雄嵌合機構
【図１】
0003116330.tif 000003
【図２】
0003116330.tif 000004
【図３】
0003116330.tif 000005
【図４】
0003116330.tif 000006
【図５】
0003116330.tif 000007
【図６】
0003116330.tif 000008